(57)【要約】 【課題】  電話機を第三者が使用した場合であっても、その通話料金が自動的に第三者の負担になるようにしたインターネット電話方式を提供する放送波視聴管理システム及びその方法を提供することを目的とする。【解決手段】  放送波の受信側で番組視聴用のＩＣカードのデータを読み取り、該データをインターネットを介してサーバーに伝送し番組視聴を管理する放送波視聴管理システムにおいて、受信において取得されたＩＣカード２ａ、２ｂ……２ｎからの個人情報と受信部１ａ、１ｂ……１ｎに接続された電話機６ａ、６ｂ……６ｎによる着信先の電話番号とに基づき着信先の受信部１ａ、１ｂ……１ｎの電話機６ａ、６ｂ……６ｎとの電話回線を形成すると共に、通話料金の課金を該ＩＣカード２ａ、２ｂ……２ｎの個人情報に対して付すように処理するサーバー５とを備えてなることを特徴とする。【選択図】    図１
2005347993.tif 000002
【特許請求の範囲】
【請求項１】
放送波の受信側で番組視聴用のＩＣカードのデータを読み取り、該データをインターネットを介してサーバーに伝送し番組視聴を管理する放送波視聴管理システムにおいて、
前記受信手段において取得された前記ＩＣカードからの個人情報と該受信手段に接続された電話機による着信先の電話番号とに基づき着信先の受信手段の電話機との電話回線を形成すると共に、通話料金の課金を該ＩＣカードの個人情報に対して付すように処理するサーバーとを備えてなることを特徴とするインターネット電話方式を提供する放送波視聴管理システム。
【請求項２】
放送波の受信側で番組視聴用のＩＣカードのデータを読み取り、該データをインターネットを介してサーバーに伝送し番組視聴を管理する放送波視聴管理システムを用い、      
前記受信手段において取得された前記ＩＣカードからの個人情報と該受信手段に接続された電話機による着信先の電話番号とにより着信先の受信手段の電話機との電話回線を形成し、通話料金の課金を該ＩＣカードの個人情報に対して付して処理することを特徴とするインターネット電話方式を提供する放送波視聴管理方法。
【発明の詳細な説明】
【技術分野】
【０００１】
本発明は、放送波の受信側で番組視聴用のＩＣカードのデータを読み取り、該データをインターネットを介してサーバーに伝送し番組視聴を管理する放送波視聴管理システムにおいて、放送波用受信手段間での電話による通話を行なうためのインターネット電話方式を提供する放送波視聴管理システム及びその方法に関する。
【背景技術】
【０００２】
従来、インターネット電話方式において、例えば下記の特許文献１で示す技術が提案されている。これは、インターネット接続を介した音声の呼び出しを実現するものである。インターネット接続を介した音声の呼び出しは、第1のフォーマットに変調された且つ音声呼び出しのインターネット・プロトコル・データ・パケットを表す信号を受信し；第1のフォーマットの変調された信号を復調し；復調された信号を変調して第2のフォーマットにし、第2のフォーマットの変調された信号を無線接続を介して受信装置に送信し；受信装置において第2のフォーマットの変調された信号を復調して、音声呼び出しを完成させている。このようにして、システムは、例えばＰＯＴＳ配線のような配線を追加する必要性をなくして１つ以上のハンドセットに対処し、またはそれに代えて多数ケーブル・ドロップおよび例えばＰＯＴＳ／ＨＦＣアダプタのようなアダプタを追加する必要がない。また、無線機能はネットワーク・インターフェース・ボックスを現在のケーブル・アウトレット（コンセント）に結合させ、追加的アウトレットをインストールせずに所要のハンドセットを追加することで達成させている。さらに、システムは再配線することなく高い線インターネット電話呼び出しを形成する。
【０００３】
また、他の従来技術として下記の特許文献２に示すものが提案されている。これは、スマートカードを用いた第1の加入者と第2の加入者との間のインターネットを介する電話データの伝送管理方法に関するものである。この従来技術の構成は、シグナリングチャネルを介する少なくとも１つのシグナリングデータ交換段階と、データチャネルを介する少なくとも１つのマルチメディアデータ交換段階とを含み、さらに少なくとも前記の加入者システムは、「ＷＥＢ」型プラウザと、スマートカードと協働するスマートカード用の読取り装置とを備えた端末を有し、前記のスマートカードは、特有の通信プロトコル層を形成する第1のソフトウェアを有し、前記の端末は、少なくとも前記の「ＷＥＢ」型プラウザとのインターフェイスを形成する第2のソフトウェアを有する。前記の第１および第2のソフトウェアは各々、さらに、クライアント型の第1の独立ソフトウェアエンティティと、サーバー型の第2のソフトウェンティティを有し、前記のエンティティは、前記端末と前記スマートカードとの間の双方向データ交換セッションの確立を可能にし、前記スマートカードが「ＷＥＢ」型のクライアント／Ｓ−バの機能を提供することが可能となり、さらに前記インターネット型ネットワークを介して、前記の第１の加入者システムと前記の第2の加入者システムとの間の双方向データ交換セッションを確立することが可能になるように協働し、前記の独立ソフトウェアユニットは、あらかじめ設定されたプロトコルデータユニットを用いて通信する。
【０００４】
更に、他の従来技術として下記の特許文献３に示すものが提案されている。これは、インターネット接続向けの着信者課金を実現するものである。この従来技術の構成は、携帯電話端末、サイトサーバとは、モバイルネトワーク、ＩＰネットワークのそれぞれを介して接続されるインターネット接続装置であって、前記携帯電話から利用者によるサイトアクセス接続要求を受信し、パケット量の測定を開始すると共に、発信者課金、着信者課金の別を判別し、前記判別結果に基づき自前のゲートウェイ操作、もしくは他事業者のゲートウェイの操作指示を発光し、前記パケット量の測定に基づき発信者への課金トランザクションの作成、もしくは前記パケット測定量に基づき前記他事業者への課金の付け替え処理を行う第1のインターネット接続手段を備えたものである。このようにして、この従来技術は、携帯電話端末に実装されるＩＣカードに記録されたユーザＩＤにより、発信者課金、着信者課金の別を判別することで、利用者はオペレータが配布する、例えばＵＩＭカードを携帯電話端末に実装するだけで着信者課金専門のオペレータを利用した無線インターネット接続機能の利用が可能となる。
【特許文献１】特開２００２−５０２１５６号公報（段落〔００１０〕、段落〔００１４〕）
【特許文献２】特開２００３−５２３１３９号公報（段落〔００８１〕、段落〔００９２〕）
【特許文献３】特開２００３−３０９６７２号公報（段落〔０００５〕、段落〔０００８〕）
【発明の開示】
【発明が解決しようとする課題】
【０００５】
しかしながら、前記特許文献１、特許文献２で示す従来技術にあっては、そのシステムの構成が複雑でありコスト低減に限界がある。従って、ますますシステムのコスト低減、安価な通話料が要求されている現状では望ましいシステムを得られないという問題があった。また、電話端末の所有者以外の第三者が使用した場合には所有者の負担になってしまう。
【０００６】
そこで、本発明は従来技術では解決されないコストの低減、安価な通話料で第三者が使用した場合であってもその通話料が自動的に第三者の負担になるようにしたインターネット電話方式を提供する放送波視聴管理システム及びその方法を提供することを目的とする。
【課題を解決するための手段】
【０００７】
前記課題を解決するために、本願の請求項１に係る発明のインターネット電話方式を提供する放送波視聴管理システムは、放送波の受信側で番組視聴用のＩＣカードのデータを読み取り、該データをインターネットを介してサーバーに伝送し番組視聴を管理する放送波視聴管理システムにおいて、前記受信手段において取得された前記ＩＣカードからの個人情報と該受信手段に接続された電話機による着信先の電話番号とに基づき着信先の受信手段の電話機との電話回線を形成すると共に、通話料金の課金を該ＩＣカードの個人情報に対して付すように処理するサーバーとを備えてなることを特徴とする。
【０００８】
また、本願の請求項２に係る発明のインターネット電話方式を提供する放送波視聴管理方法は、放送波の受信側で番組視聴用のＩＣカードのデータを読み取り、該データをインターネットを介してサーバーに伝送し番組視聴を管理する放送波視聴管理システムを用い、前記受信手段において取得された前記ＩＣカードからの個人情報と該受信手段に接続された電話機による着信先の電話番号とにより着信先の受信手段の電話機との電話回線を形成し、通話料金の課金を該ＩＣカードの個人情報に対して付して処理することを特徴とする。
【発明の効果】
【０００９】
本発明は上述のような構成をとることにより請求項１のインターネット電話方式を提供する放送波視聴管理システムは以下のような効果を奏する。放送波視聴管理システムのサーバーはＩＣカードから読み取って得た個人情報と着信先電話番号に基づいてインターネットを介して着信先との間に電話回線を形成し、その通話料金をＩＣカードの個人情報に対して付すようにしたので、ＩＣカード単位で通話と課金がなされ、受信手段の所有者に負担をかけることなく第三者によるインターネットを用いた通話ができる効果を有する。また、電話のためのシステムは既存の課金を行なう放送波視聴管理システムをそのまま利用できるのでコスト的に有利であり、その使用料金も安価となる。
【００１０】
また、請求項２に係るインターネット電話方式を提供する放送波視聴管理方法に係る発明においては、放送波視聴管理システムのサーバーはＩＣカードから読み取って得た個人情報と着信先電話番号に基づいてインターネットを介して着信先との間に電話回線を形成し、その通話料金をＩＣカードの個人情報に対して付すので、ＩＣカード単位で通話と課金がなされ、受信手段の所有者に負担をかけることなく第三者によるインターネットを用いた通話ができる効果を有する。また、電話のためのシステムは既存の課金を行なう放送波視聴管理システムをそのまま利用できるのでコスト的に有利であり、その使用料金も安価となる。
【発明を実施するための最良の形態】
【００１１】
本発明を実施するための最良の形態としては、以下に説明する実施例である。
【実施例】
【００１２】
本発明の実施例を図１〜図３によって説明する。図１は本発明の実施例におけるインターネット電話方式を提供する放送波視聴管理システムを示す説明図、図２は図1における本発明の放送波視聴管理システムについて発信側の電話機とサーバーとの間の動作を示す説明図、図３は図1における本発明の放送波視聴管理システムついて着信側の電話機とサーバーとの間の動作を示す説明図である。
【００１３】
図１において、１ａ、１ｂ……１ｎはデジタル放送の所望の番組を視聴するために受信システム毎に設けたセットボックスタイプの受信部であり、受信されたデジタル放送がモニター（図示せず）によって再生されるようになっている。番組の聴取は、受信部１ａ、１ｂ……１ｎに番組聴取用のＩＣカード（Ｂ−ＣＡＳカード）２ａ、２ｂ……２ｎを装着することによって可能となる。受信部１ａ、１ｂ……１ｎはモデム（又はルーター）３ａ、３ｂ……３ｎを介してインターネット４に接続されている。インターネット４にはサーバー５が接続されている。ＩＣカード２ａ、２ｂ……２ｎはスクランブルの解除機能、番組の契約内容、課金情報、加入者自身の個人情報及び電話番号等が記録されている。このＩＣカード２ａ、２ｂ……２ｎを受信部１ａ、１ｂ……１ｎに装着すると、スクランブルが解除され、ユーザが所望の番組を視聴できるようになっている。視聴にしたことによる課金情報は、サーバー５によって生成されて受信部１ａ、１ｂ……１ｎに送信され、ＩＣカード２ａ、２ｂ……２ｎに記録される。また、課金情報はネットワークセンターにおいて記録されて加入者に請求されるシステムとなっている。
【００１４】
受信部１ａ、１ｂ……１ｎには夫々電話機６ａ、６ｂ……６ｎが接続されている。ユーザはこれら電話機６ａ、６ｂ……６ｎによりネットワーク４を介して通話が可能になっている。例えば電話機６ａから電話機６ｎを呼び出して通話を行なう場合は、受信部１ａにＩＣカード２ａを装着し、受信部１ｎにＩＣカード２ｎを装着することにより、サーバー５がネットワーク5を介して両者間の電話回線を形成する。そして、通話によって発生した通話料金はサーバー５においてＩＣカード２ａに対し課金して請求をするシステムをとる。また、例えば受信部１ａに他のＩＣカード２Ｐを装着した場合は、その通話料金はサーバー５においてＩＣカード２ｐに対して課金するシステムをとる。
【００１５】
次に、図２、図３により第三者が電話機６ａを発信側とし電話機６ｎを着信側として通話する場合を例とし、その動作を説明する。まず、図2に基づいて呼び出し側の受信部１ａとサーバー５との間の動作を説明する。ステップＳ１、ステップＳ２において、受信部１ａ、サーバー５は待機状態にある。ステップＳ３において、第三者は受信部１ａに所有者でない当該第三者のＩＣカード２ｐを装着し、電話機６ａでもって相手の電話機６に電話をかける。ステップＳ４において、受信部１ａはダイヤルした相手の電話番号を確認する。ステップＳ５において、受信部１ａはＩＣカード２ｐに記録されている発信元としての電話番号と第三者の個人情報を読み出して取得する。ステップＳ６において、受信部２ａからサーバー５に対して個人情報の認証のためのアクセスを行なう。ステップＳ７において、サーバー５は受信部１ａで得られた個人情報等の認証についてのアクセスがあったことを確認する。ステップＳ８において、サーバー５は通話データの送信先のＩＰアドレスを確認し、ステップＳ９において発信元電話番号、シリアル番号等の個人情報を確認し、これらが登録済みか否かによる認証結果を得る。そして、これら認証結果は受信部１ａに送出される。認証結果がＯＫである場合は、ステップＳ１０において電話機６ｎの電話番号をサーバー５に送信する。ステップＳ１１において、サーバー５は相手側電話番号を元に相手側電話回線網に接続する、即ち、ネットワーク４を介して相手側の電話機６ｎとの接続を行なう。ステップＳ１２において、電話機６ａと電話機６ｂとがネットワーク４でもって電話回線が接続され通話開始状態となると、サーバー５は通話料金の課金のカウントを開始する。そして、ステップＳ１３において、放送波視聴管理システムは電話による通話状態となり、電話機１ａと電話機１ｎとの間での通話がなされる。
【００１６】
ステップＳ９において、認証が得られなかった場合には、ステップＳ１４において、その旨を電話機６ａにより第三者に通知する。そして、第三者は通話が不可能であることにより送受話器を置いて電話を切る。ステップＳ１５において、電話が切られたことをサーバー５に通知される。その結果、ステップＳ１６において受信部１ａは待機状態に戻る。同時に、ステップＳ１７において、サーバー５も待機状態に戻る。
【００１７】
ステップＳ１８で示すように、第三者による通話が終了して電話を切ると、ステップ１９においてその旨の通知がサーバー5に対してなされる。サーバー５は電話が切れたことにより、ステップＳ２０において課金情報を受信部１ａに送信し、ネットワーク４における電話機６ａと電話機６ｂとの電話回線を切る。ステップＳ２１において、受信部１ａは受信した課金情報をＩＣカード２ｐに記録し、サーバー5に対するアクセスを終了する。そして、ステップＳ２２において、課金情報がネットワークセンターに送信される。これは有料チャンネル等の課金情報があればこれと共にネットワークセンターに送信される。その後のステップＳ２３において、受信部１ａは待機状態となる。一方、サーバー５はステップＳ２４において受信部１ａからのアクセスが終了したことに基づき待機状態に戻る。
【００１８】
一方、図３に基づいて電話の着信先である受信部１ｎ側とサーバー５との間の動作を説明する。ステップＳ２５において、受信部１ｎは待機状態にある。ステップＳ２６において、着信者は受信部１ａに当該受信者のＩＣカード２ｎを装着し、ＩＣカード２ｎに記録されている発信元電話番号、シリアル等の着信者の個人情報を読み出して取得する。ステップＳ２７において、受信部２ｎからサーバー５に対して個人情報とＩＰアドレスを送信する。そして、受信部１ｎはステップＳ２８で示すように待機状態に入る。その後にＩＣカードの抜き差しが行なわれた場合には、ステップＳ２６で示す各種の情報の取得とステプＳ２７で示すサーバー5への送信動作が再度なされ、繰り返しての認証のためのアクセスを行なう。
【００１９】
ステップＳ２９において、サーバー５は受信部２ｎで得られた個人情報をデータベースに登録する。ステップＳ３０で示すように、サーバー５はネットワーク４を介して電話機６ａからの呼び出しが着信されると、ステップＳ３１において着信先の電話番号の確認、ＩＰアドレスの確認を行なう。ステップＳ３２において、ＩＰアドレスが着信されたことを受信部１ｎに通知すると共に、これに該当する個人情報を受信部１ｎに送信する。ステップＳ３３において、受信部１ｎは現在装着されているＩＣカード２ｎの個人情報とサーバー５から送信された個人情報とが同一か否かを確認し、その結果をサーバー５に通知する。同一の確認が取れた場合は、ステップＳ３４においてサーバー5に対して着信を許可し、同時に電話機６ｎの呼び出し動作を行なう。この呼び出しによって、ステップＳ３の電話機６ａと電話機６ｎとの通話が達成される。ステップＳ３５において、電話機６ｎ側で通話終了のために電話を切ると回線が切断される、そして、ステップＳ３６、ステップＳ３７において受信部６ｎ、サーバー５が待機状態に戻る。
【００２０】
ステップＳ３３において、同一の確認が取れない場合には、その旨がサーバー５に通知される。サーバー５はステップＳ３８において着信不能を発信側の電話機１ａに通知して回線を切断する。そして、ステップＳ３９において待機状態に戻る。
【００２１】
受信部１ｎにはＩＣカード２ｎを装着したが、この着信側においても他の第三者のＩＣカード２ｑを装着することにより、このＩＣカード２ｑの所有者である第三者との通話を可能とする。即ち、ＩＣカード２ｑに記録された個人情報に基づいて上述した動作と同様にして通話がなされる。
【００２２】
上述した実施例によれば、放送波視聴管理システムのサーバー５はＩＣカード２ｐから読み取って得た個人情報と電話番号に基づいてインターネット４を介して着信先との間に電話回線を形成し、その通話料金をＩＣカード２ｐの個人情報に対して付すようにしたので、ＩＣカード単位で通話と課金がなされる。そのため、受信部１ａの所有者に負担をかけることなく第三者によるインターネット４を用いた通話ができる。電話回線を形成するに当たり、サーバー５はＩＣカード２ｐに記録された発信元電話番号、個人情報を確認の正当性を確認して認証する。同時に、サーバー５は着信側における受信部１ｎに装着されたＩＣカード２ｎ、２ｑから着信先電話番号、個人情報、ＩＰアドレスを読み取って登録し、発信側のデータと着信側のデータの一致をとる。そのため、電話回線が正確に形成されるだけでなく、課金がＩＣカード１ｐに対して正確になされる。従って、第三者は、ＩＣカードを持参していればいつでも受信部１ａ、１ｂ……１ｎを用いて第三者の負担で電話をすることができる。そして、電話回線は既に存在し課金制度をとる放送波視聴管理システムを利用するのでコスト的に安価である。例えば、携帯電話に比較して通話料金が低額で済むだけでなく、確実に電話回線を形成して安定した通話状態を維持する。
【００２３】
尚、上述した本発明の実施例にあっては、通話範囲はネットワーク４に接続された受信部１ａ、１ｂ……１ｎに接続された電話機６ａ、６ｂ……６ｎ間であるが、サーバー５によって他のネットワークとの回線の接続を可能にすれば他のネットワークに接続された電話機との通話が可能になることは勿論である。
【００２４】
尚また、上述した本発明の実施例においては、受信部１ａ、１ｂ……１ｎとされる電話機６ａ、６ｂ……６ｎとの接続はワイヤレスによる接続であってもよい。
【図面の簡単な説明】
【００２５】
【図１】図１は本発明の実施例におけるインターネット電話方式を提供する放送波視聴管理システムを示す説明図である。
【図２】図２は図1における本発明の放送波視聴管理システムについて発信側の電話機とサーバーとの間の動作を示す説明図である。
【図３】図３は図1における本発明の放送波視聴管理システムについて着信側の電話機とサーバーとの間の動作を示す説明図である。
【符号の説明】
【００２６】
１ａ、１ｂ……１ｎ    受信部
２ａ、２ｂ……２ｎ    ＩＣカード
３ａ、３ｂ……３ｎ    モデム
４                    インターネット
５                    サーバー
６ａ、６ｂ……６ｎ    電話機
【図１】
2005347993.tif 000003
【図２】
2005347993.tif 000004
【図３】
2005347993.tif 000005